(57)【要約】  無線ＬＡＮ端末(１５０)は、機器(１０)に設けられ、第１ビーコン発信機(１３１，１３２)から送信されたビーコン信号(１３１ｓ，１３２ｓ)を受信すると機器(１０)の位置情報を無線ＬＡＮのアクセスポイント(１１１，１１２)を介して情報処理装置(１２０)に送信し、第２ビーコン発信機(１４１)から送信されたビーコン信号(１４１ｓ)を受信すると携帯人Ｂが特定可能な情報を無線ＬＡＮのアクセスポイント(１１１，１１２)を介して情報処理装置(１２０)に送信する。情報処理装置(１２０)は、無線ＬＡＮ端末(１５０)から送信された、機器(１０)の位置情報および携帯人(Ｂ)が特定可能な情報を記憶する記憶部(１２１)を有する。
2019211981.tif 000002
【特許請求の範囲】
【請求項１】
複数の区域に移動可能な少なくとも１つの機器の所在および該機器の使用者に関する情報を記録する機器管理システムであって、
前記複数の区域の各々に設置された無線ＬＡＮのアクセスポイントと、
前記無線ＬＡＮのアクセスポイントに接続された情報処理装置と、
前記複数の区域の各々に設置され、設置区域が特定可能な情報を含むビーコン信号を前記設置区域内に送信する第１ビーコン発信機と、
前記複数の区域のうちの少なくとも１つの区域に出入りする複数人の各々に１つずつ携帯され、携帯人が特定可能な情報を含むビーコン信号を前記携帯人の周囲の一定範囲内に送信する第２ビーコン発信機と、
前記機器に設けられ、前記第１ビーコン発信機から送信されたビーコン信号を受信すると前記機器の位置情報を前記無線ＬＡＮのアクセスポイントを介して前記情報処理装置に送信し、前記第２ビーコン発信機から送信されたビーコン信号を受信すると前記携帯人が特定可能な情報を前記無線ＬＡＮのアクセスポイントを介して前記情報処理装置に送信する、無線ＬＡＮ端末とを備え、
前記情報処理装置は、前記無線ＬＡＮ端末から送信された、前記機器の位置情報および前記携帯人が特定可能な情報を記憶する記憶部を有する、機器管理システム。
【請求項２】
前記複数の区域内に、前記機器が複数位置しており、
複数の前記機器の各々に、前記無線ＬＡＮ端末が設けられている、請求項１に記載の機器管理システム。
【請求項３】
複数の区域に移動可能な少なくとも１つの機器の所在および該機器の使用者を管理可能な機器管理システムであって、
前記複数の区域の各々に設置された無線ＬＡＮのアクセスポイントと、
前記無線ＬＡＮのアクセスポイントに接続された情報処理装置と、
前記機器に設けられ、前記機器が特定可能な情報を含むビーコン信号を前記機器の周囲の一定範囲内に送信する第１ビーコン発信機と、
前記複数の区域のうちの少なくとも１つの区域に出入りする複数人の各々に１つずつ携帯され、携帯人が特定可能な情報を含むビーコン信号を前記携帯人の周囲の一定範囲内に送信する第２ビーコン発信機と、
前記複数の区域の各々に設けられ、前記第１ビーコン発信機から送信されたビーコン信号を受信すると前記機器が特定可能な情報を前記無線ＬＡＮのアクセスポイントを介して前記情報処理装置に送信し、前記第２ビーコン発信機から送信されたビーコン信号を受信すると前記携帯人が特定可能な情報を前記無線ＬＡＮのアクセスポイントを介して前記情報処理装置に送信する、無線ＬＡＮ端末とを備え、
前記情報処理装置は、前記無線ＬＡＮ端末から送信された、前記機器が特定可能な情報および前記携帯人が特定可能な情報を記憶する記憶部を有する、機器管理システム。
【請求項４】
前記複数の区域内に、前記機器が複数位置しており、
複数の前記機器の各々に、前記第１ビーコン発信機が設置されている、請求項３に記載の機器管理システム。
【請求項５】
無線ＬＡＮのアクセスポイントが各々設置されている複数の区域に移動可能な少なくとも１つの機器の所在および該機器の使用者に関する情報を記録する機器管理システムであって、
前記無線ＬＡＮのアクセスポイントに接続された情報処理装置と、
前記複数の区域の各々に設置され、設置区域が特定可能な情報を含むビーコン信号を前記設置区域内に送信する第１ビーコン発信機と、
前記複数の区域のうちの少なくとも１つの区域に出入りする複数人の各々に１つずつ携帯され、携帯人が特定可能な情報を含むビーコン信号を前記携帯人の周囲の一定範囲内に送信する第２ビーコン発信機と、
前記機器に設けられ、前記第１ビーコン発信機から送信されたビーコン信号を受信すると前記機器の位置情報を前記無線ＬＡＮのアクセスポイントを介して前記情報処理装置に送信し、前記第２ビーコン発信機から送信されたビーコン信号を受信すると前記携帯人が特定可能な情報を前記無線ＬＡＮのアクセスポイントを介して前記情報処理装置に送信する、無線ＬＡＮ端末とを備え、
前記情報処理装置は、前記無線ＬＡＮ端末から送信された、前記機器の位置情報および前記携帯人が特定可能な情報を記憶する記憶部を有する、機器管理システム。
【請求項６】
前記複数の区域内に、前記機器が複数位置しており、
複数の前記機器の各々に、前記無線ＬＡＮ端末が設けられている、請求項５に記載の機器管理システム。
【請求項７】
無線ＬＡＮのアクセスポイントが各々設置されている複数の区域に移動可能な少なくとも１つの機器の所在および該機器の使用者を管理可能な機器管理システムであって、
前記無線ＬＡＮのアクセスポイントに接続された情報処理装置と、
前記機器に設けられ、前記機器が特定可能な情報を含むビーコン信号を前記機器の周囲の一定範囲内に送信する第１ビーコン発信機と、
前記複数の区域のうちの少なくとも１つの区域に出入りする複数人の各々に１つずつ携帯され、携帯人が特定可能な情報を含むビーコン信号を前記携帯人の周囲の一定範囲内に送信する第２ビーコン発信機と、
前記複数の区域の各々に設けられ、前記第１ビーコン発信機から送信されたビーコン信号を受信すると前記機器が特定可能な情報を前記無線ＬＡＮのアクセスポイントを介して前記情報処理装置に送信し、前記第２ビーコン発信機から送信されたビーコン信号を受信すると前記携帯人が特定可能な情報を前記無線ＬＡＮのアクセスポイントを介して前記情報処理装置に送信する、無線ＬＡＮ端末とを備え、
前記情報処理装置は、前記無線ＬＡＮ端末から送信された、前記機器が特定可能な情報および前記携帯人が特定可能な情報を記憶する記憶部を有する、機器管理システム。
【請求項８】
前記複数の区域内に、前記機器が複数位置しており、
複数の前記機器の各々に、前記第１ビーコン発信機が設置されている、請求項７に記載の機器管理システム。
【請求項９】
複数の区域に移動可能な少なくとも１つの機器の所在および該機器の使用者に関する情報を記録する機器管理システムであって、
前記複数の区域の各々に配置され、互いにメッシュ型ネットワークを構成する複数の第１ブルートゥース(登録商標)端末装置と、
前記メッシュ型ネットワークに接続された情報処理装置と、
前記複数の区域の各々に設置され、設置区域が特定可能な情報を含むビーコン信号を前記設置区域内に送信する第１ビーコン発信機と、
前記複数の区域のうちの少なくとも１つの区域に出入りする複数人の各々に１つずつ携帯され、携帯人が特定可能な情報を含むビーコン信号を前記携帯人の周囲の一定範囲内に送信する第２ビーコン発信機と、
前記機器に設けられ、前記第１ビーコン発信機から送信されたビーコン信号を受信すると前記機器の位置情報を前記メッシュ型ネットワークを介して前記情報処理装置に送信し、前記第２ビーコン発信機から送信されたビーコン信号を受信すると前記携帯人が特定可能な情報を前記メッシュ型ネットワークを介して前記情報処理装置に送信する、第２ブルートゥース(登録商標)端末装置とを備え、
前記情報処理装置は、前記第２ブルートゥース(登録商標)端末装置から送信された、前記機器の位置情報および前記携帯人が特定可能な情報を記憶する記憶部を有する、機器管理システム。
【請求項１０】
前記複数の区域内に、前記機器が複数位置しており、
複数の前記機器の各々に、前記第２ブルートゥース(登録商標)端末装置が設けられている、請求項９に記載の機器管理システム。
【請求項１１】
複数の区域に移動可能な少なくとも１つの機器の所在および該機器の使用者を管理可能な機器管理システムであって、
前記複数の区域の各々に配置され、互いにメッシュ型ネットワークを構成する複数の第１ブルートゥース(登録商標)端末装置と、
前記メッシュ型ネットワークに接続された情報処理装置と、
前記機器に設けられ、前記機器が特定可能な情報を含むビーコン信号を前記機器の周囲の一定範囲内に送信する第１ビーコン発信機と、
前記複数の区域のうちの少なくとも１つの区域に出入りする複数人の各々に１つずつ携帯され、携帯人が特定可能な情報を含むビーコン信号を前記携帯人の周囲の一定範囲内に送信する第２ビーコン発信機と、
前記複数の区域の各々に設けられ、前記第１ビーコン発信機から送信されたビーコン信号を受信すると前記機器が特定可能な情報を前記メッシュ型ネットワークを介して前記情報処理装置に送信し、前記第２ビーコン発信機から送信されたビーコン信号を受信すると前記携帯人が特定可能な情報を前記メッシュ型ネットワークを介して前記情報処理装置に送信する、第２ブルートゥース(登録商標)端末装置とを備え、
前記情報処理装置は、前記第２ブルートゥース(登録商標)端末装置から送信された、前記機器が特定可能な情報および前記携帯人が特定可能な情報を記憶する記憶部を有する、機器管理システム。
【請求項１２】
前記複数の区域内に、前記機器が複数位置しており、
複数の前記機器の各々に、前記第１ビーコン発信機が設置されている、請求項１１に記載の機器管理システム。
【発明の詳細な説明】
【技術分野】
【０００１】
本発明は、機器管理システムに関する。
【背景技術】
【０００２】
医療機器管理システムの構成を開示した先行文献として、特開２０１５−９７６８９号公報(特許文献１)がある。特許文献１に記載された医療機器管理システムにおいては、機器にタグリーダおよび無線タグの各々が取り付けられている。機器に取り付けられたタグリーダは、機器に給電する電源コンセントの直近に取り付けられた無線タグから電源コンセントの設置場所情報を読み取る。機器に取り付けられた無線タグは、機器が保管される保管棚に取り付けられたタグリーダに、機器識別情報が読み取られる。
【先行技術文献】
【特許文献】
【０００３】
【特許文献１】特開２０１５−９７６８９号公報
【発明の概要】
【発明が解決しようとする課題】
【０００４】
特許文献１に記載された医療機器管理システムにおいては、機器に設けられた無線タグおよびタグリーダを用いて機器の所在を特定することを図っているが、機器に設けられた無線タグおよびタグリーダの少なくとも一方が機能しなくなったときには、機器の行方を探索不能になる場合がある。【０００５】
本発明は上記の問題点に鑑みてなされたものであって、機器に設けられた無線タグまたはタグリーダが機能しなくなったときにおいても機器の行方を探索可能とする、機器管理システムを提供することを目的とする。
【課題を解決するための手段】
【０００６】
本発明の第１局面に基づく機器管理システムは、複数の区域に移動可能な少なくとも１つの機器の所在およびこの機器の使用者に関する情報を記録する機器管理システムである。機器管理システムは、無線ＬＡＮのアクセスポイントと、情報処理装置と、第１ビーコン発信機と、第２ビーコン発信機と、無線ＬＡＮ端末とを備える。無線ＬＡＮのアクセスポイントは、上記複数の区域の各々に設置されている。情報処理装置は、無線ＬＡＮのアクセスポイントに接続されている。第１ビーコン発信機は、上記複数の区域の各々に設置され、設置区域が特定可能な情報を含むビーコン信号を上記設置区域内に送信する。第２ビーコン発信機は、上記複数の区域のうちの少なくとも１つの区域に出入りする複数人の各々に１つずつ携帯され、携帯人が特定可能な情報を含むビーコン信号を上記携帯人の周囲の一定範囲内に送信する。無線ＬＡＮ端末は、上記機器に設けられ、第１ビーコン発信機から送信されたビーコン信号を受信すると上記機器の位置情報を無線ＬＡＮのアクセスポイントを介して情報処理装置に送信し、第２ビーコン発信機から送信されたビーコン信号を受信すると上記携帯人が特定可能な情報を無線ＬＡＮのアクセスポイントを介して情報処理装置に送信する。情報処理装置は、無線ＬＡＮ端末から送信された、上記機器の位置情報および上記携帯人が特定可能な情報を記憶する記憶部を有する。【０００７】
本発明の第１局面の一形態においては、上記複数の区域内に、上記機器が複数位置している。複数の上記機器の各々に、無線ＬＡＮ端末が設けられている。【０００８】
本発明の第２局面に基づく機器管理システムは、複数の区域に移動可能な少なくとも１つの機器の所在およびこの機器の使用者を管理可能な機器管理システムである。機器管理システムは、無線ＬＡＮのアクセスポイントと、情報処理装置と、第１ビーコン発信機と、第２ビーコン発信機と、無線ＬＡＮ端末とを備える。無線ＬＡＮのアクセスポイントは、上記複数の区域の各々に設置されている。情報処理装置は、無線ＬＡＮのアクセスポイントに接続されている。第１ビーコン発信機は、上記機器に設けられ、上記機器が特定可能な情報を含むビーコン信号を上記機器の周囲の一定範囲内に送信する。第２ビーコン発信機は、複数の区域のうちの少なくとも１つの区域に出入りする複数人の各々に１つずつ携帯され、携帯人が特定可能な情報を含むビーコン信号を上記携帯人の周囲の一定範囲内に送信する。無線ＬＡＮ端末は、上記複数の区域の各々に設けられ、第１ビーコン発信機から送信されたビーコン信号を受信すると上記機器が特定可能な情報を無線ＬＡＮのアクセスポイントを介して情報処理装置に送信し、第２ビーコン発信機から送信されたビーコン信号を受信すると上記携帯人が特定可能な情報を無線ＬＡＮのアクセスポイントを介して情報処理装置に送信する。情報処理装置は、無線ＬＡＮ端末から送信された、上記機器が特定可能な情報および上記携帯人が特定可能な情報を記憶する記憶部を有する。【０００９】
本発明の第２局面の一形態においては、上記複数の区域内に、上記機器が複数位置している。複数の上記機器の各々に、第１ビーコン発信機が設置されている。【００１０】
本発明の第３局面に基づく機器管理システムは、無線ＬＡＮのアクセスポイントが各々設置されている複数の区域に移動可能な少なくとも１つの機器の所在およびこの機器の使用者に関する情報を記録する機器管理システムである。機器管理システムは、情報処理装置と、第１ビーコン発信機と、第２ビーコン発信機と、無線ＬＡＮ端末とを備える。情報処理装置は、無線ＬＡＮのアクセスポイントに接続されている。第１ビーコン発信機は、上記複数の区域の各々に設置され、設置区域が特定可能な情報を含むビーコン信号を上記設置区域内に送信する。第２ビーコン発信機は、上記複数の区域のうちの少なくとも１つの区域に出入りする複数人の各々に１つずつ携帯され、携帯人が特定可能な情報を含むビーコン信号を上記携帯人の周囲の一定範囲内に送信する。無線ＬＡＮ端末は、上記機器に設けられ、第１ビーコン発信機から送信されたビーコン信号を受信すると上記機器の位置情報を無線ＬＡＮのアクセスポイントを介して情報処理装置に送信し、第２ビーコン発信機から送信されたビーコン信号を受信すると上記携帯人が特定可能な情報を無線ＬＡＮのアクセスポイントを介して情報処理装置に送信する。情報処理装置は、無線ＬＡＮ端末から送信された、上記機器の位置情報および上記携帯人が特定可能な情報を記憶する記憶部を有する。【００１１】
本発明の第３局面の一形態においては、上記複数の区域内に、上記機器が複数位置している。複数の上記機器の各々に、無線ＬＡＮ端末が設けられている。【００１２】
本発明の第４局面に基づく機器管理システムは、無線ＬＡＮのアクセスポイントが各々設置されている複数の区域に移動可能な少なくとも１つの機器の所在およびこの機器の使用者を管理可能な機器管理システムである。機器管理システムは、情報処理装置と、第１ビーコン発信機と、第２ビーコン発信機と、無線ＬＡＮ端末とを備える。情報処理装置は、無線ＬＡＮのアクセスポイントに接続されている。第１ビーコン発信機は、上記機器に設けられ、上記機器が特定可能な情報を含むビーコン信号を上記機器の周囲の一定範囲内に送信する。第２ビーコン発信機は、複数の区域のうちの少なくとも１つの区域に出入りする複数人の各々に１つずつ携帯され、携帯人が特定可能な情報を含むビーコン信号を上記携帯人の周囲の一定範囲内に送信する。無線ＬＡＮ端末は、上記複数の区域の各々に設けられ、第１ビーコン発信機から送信されたビーコン信号を受信すると上記機器が特定可能な情報を無線ＬＡＮのアクセスポイントを介して情報処理装置に送信し、第２ビーコン発信機から送信されたビーコン信号を受信すると上記携帯人が特定可能な情報を無線ＬＡＮのアクセスポイントを介して情報処理装置に送信する。情報処理装置は、無線ＬＡＮ端末から送信された、上記機器が特定可能な情報および上記携帯人が特定可能な情報を記憶する記憶部を有する。【００１３】
本発明の第４局面の一形態においては、上記複数の区域内に、上記機器が複数位置している。複数の上記機器の各々に、第１ビーコン発信機が設置されている。【００１４】
本発明の第５局面に基づく機器管理システムは、複数の区域に移動可能な少なくとも１つの機器の所在およびこの機器の使用者に関する情報を記録する機器管理システムである。機器管理システムは、複数の第１ブルートゥース(登録商標)端末装置と、情報処理装置と、第１ビーコン発信機と、第２ビーコン発信機と、第２ブルートゥース(登録商標)端末装置とを備える。複数の第１ブルートゥース(登録商標)端末装置は、複数の区域の各々に配置され、互いにメッシュ型ネットワークを構成する。情報処理装置は、上記メッシュ型ネットワークに接続されている。第１ビーコン発信機は、複数の区域の各々に設置され、設置区域が特定可能な情報を含むビーコン信号を上記設置区域内に送信する。第２ビーコン発信機は、複数の区域のうちの少なくとも１つの区域に出入りする複数人の各々に１つずつ携帯され、携帯人が特定可能な情報を含むビーコン信号を上記携帯人の周囲の一定範囲内に送信する。第２ブルートゥース(登録商標)端末装置は、上記機器に設けられ、第１ビーコン発信機から送信されたビーコン信号を受信すると上記機器の位置情報を上記メッシュ型ネットワークを介して情報処理装置に送信し、第２ビーコン発信機から送信されたビーコン信号を受信すると上記携帯人が特定可能な情報を上記メッシュ型ネットワークを介して情報処理装置に送信する。情報処理装置は、第２ブルートゥース(登録商標)端末装置から送信された、上記機器の位置情報および上記携帯人が特定可能な情報を記憶する記憶部を有する。【００１５】
本発明の第５局面の一形態においては、上記複数の区域内に、上記機器が複数位置している。複数の上記機器の各々に、第２ブルートゥース(登録商標)端末装置が設けられている。【００１６】
本発明の第６局面に基づく機器管理システムは、複数の区域に移動可能な少なくとも１つの機器の所在およびこの機器の使用者を管理可能な機器管理システムである。機器管理システムは、複数の第１ブルートゥース(登録商標)端末装置と、情報処理装置と、第１ビーコン発信機と、第２ビーコン発信機と、第２ブルートゥース(登録商標)端末装置とを備える。複数の第１ブルートゥース(登録商標)端末装置は、上記複数の区域の各々に配置され、互いにメッシュ型ネットワークを構成する。情報処理装置は、上記メッシュ型ネットワークに接続されている。第１ビーコン発信機は、上記機器に設けられ、上記機器が特定可能な情報を含むビーコン信号を上記機器の周囲の一定範囲内に送信する。第２ビーコン発信機は、上記複数の区域のうちの少なくとも１つの区域に出入りする複数人の各々に１つずつ携帯され、携帯人が特定可能な情報を含むビーコン信号を上記携帯人の周囲の一定範囲内に送信する。第２ブルートゥース(登録商標)端末装置は、上記複数の区域の各々に設けられ、第１ビーコン発信機から送信されたビーコン信号を受信すると上記機器が特定可能な情報を上記メッシュ型ネットワークを介して情報処理装置に送信し、第２ビーコン発信機から送信されたビーコン信号を受信すると上記携帯人が特定可能な情報を上記メッシュ型ネットワークを介して情報処理装置に送信する。情報処理装置は、第２ブルートゥース(登録商標)端末装置から送信された、上記機器が特定可能な情報および上記携帯人が特定可能な情報を記憶する記憶部を有する。【００１７】
本発明の第６局面の一形態においては、上記複数の区域内に、上記機器が複数位置している。複数の上記機器の各々に、第１ビーコン発信機が設置されている。
【発明の効果】
【００１８】
本発明によれば、機器に設けられた無線タグまたはタグリーダが機能しなくなったときにおいても機器の行方を探索可能とすることができる。
【図面の簡単な説明】
【００１９】
【図１】本発明の実施形態１に係る機器管理システムの適用例の一例である医療施設における機器の移動形態を説明する図である。
【図２】本発明の実施形態１に係る機器管理システムにおける、医療機器がＭＥ室から病室に移動する際の各構成の動作を説明する図である。
【図３】本発明の実施形態１に係る機器管理システムにおける、医療機器が病室からＭＥ室に移動する際の各構成の動作を説明する図である。
【図４】本発明の実施形態２に係る機器管理システムにおける、医療機器がＭＥ室から病室に移動する際の各構成の動作を説明する図である。
【図５】本発明の実施形態２に係る機器管理システムにおける、医療機器が病室からＭＥ室に移動する際の各構成の動作を説明する図である。
【図６】本発明の実施形態３に係る機器管理システムにおける、医療機器がＭＥ室から病室に移動する際の各構成の動作を説明する図である。
【図７】本発明の実施形態３に係る機器管理システムにおける、医療機器が病室からＭＥ室に移動する際の各構成の動作を説明する図である。
【図８】本発明の実施形態４に係る機器管理システムにおける、医療機器がＭＥ室から病室に移動する際の各構成の動作を説明する図である。
【図９】本発明の実施形態４に係る機器管理システムにおける、医療機器が病室からＭＥ室に移動する際の各構成の動作を説明する図である。
【発明を実施するための形態】
【００２０】
以下、本発明の各実施形態に係る機器管理システムについて図を参照して説明する。以下の実施形態の説明においては、図中の同一または相当部分には同一符号を付して、その説明は繰り返さない。なお、以下の実施形態においては、機器管理システムとして、医療機器管理システムについて説明するが、機器は、医療機器に限られず、移動可能な他の機器であってもよい。
【００２１】
(実施形態１)
図１は、本発明の実施形態１に係る機器管理システムの適用例の一例である医療施設における機器の移動形態を説明する図である。図１に示すように、医療施設においては、複数の医療機器１０がＭＥ(Medical  engineering)室１に保管されている。複数の医療機器１０の各々は、ＭＥ室１から各病室に貸し出されて使用される。
【００２２】
たとえば、使用者Ａが、矢印４で示すように、複数の医療機器１０のうちの１つの医療機器１０を病室２に移動させて使用する。その後、使用者Ａが、矢印５で示すように、ＭＥ室１から持ち出した医療機器１０を他の病室３に移動させて使用する。最後に、使用者Ａが、矢印６で示すように、医療機器１０をＭＥ室１に返却する。
【００２３】
上記のように、医療機器１０は、ＭＥ室１、病室２および病室３などの複数の区域に移動可能である。なお、区域とは、室内に限られず、互いに隣接する室同士を繋ぐ廊下であってもよい。また、医療機器１０の数は、複数に限られず、１つでもよい。医療機器１０としては、たとえば、輸液ポンプなどである。複数の医療機器１０の種類は、同一に限られず、互いに異なっていてもよい。
【００２４】
図２は、本発明の実施形態１に係る機器管理システムにおける、医療機器がＭＥ室から病室に移動する際の各構成の動作を説明する図である。以下の実施形態においては、複数の区域として、ＭＥ室１および病室２についてのみ説明するが、病室３または廊下などの他の区域においても同様の構成である。
【００２５】
図２に示すように、本発明の実施形態１に係る機器管理システム１００は、無線ＬＡＮ(Local  Area  Network)のアクセスポイントと、情報処理装置１２０と、第１ビーコン発信機と、第２ビーコン発信機と、無線ＬＡＮ端末１５０とを備える。
【００２６】
無線ＬＡＮのアクセスポイントは、複数の区域の各々に設置されている。第１アクセスポイント１１１は、ＭＥ室１に設置されている。第２アクセスポイント１１２は、病室２に設置されている。本実施形態においては、無線ＬＡＮとして、Ｗｉ−Ｆｉ(登録商標)を使用しているが、無線ＬＡＮは、Ｗｉ−Ｆｉ(登録商標)に限られず、他の汎用の無線ＬＡＮでもよい。
【００２７】
情報処理装置１２０は、無線ＬＡＮの第１アクセスポイント１１１および第２アクセスポイント１１２の各々に電気的に接続されている。情報処理装置１２０は、記憶部１２１と、表示部１２２と、入力部１２３とを含む。
【００２８】
第１ビーコン発信機は、複数の区域の各々に設置され、設置区域が特定可能な情報を含むビーコン信号を設置区域内に送信する。本実施形態においては、第１ビーコン発信機の通信モードとして、Bluetooth  Low  Energy(登録商標)を使用しているが、第１ビーコン発信機の通信モードは、Bluetooth  Low  Energy(登録商標)に限られず、他の一般的な通信モードでもよい。
【００２９】
第１ビーコン発信機１３１は、ＭＥ室１に設置されている。第１ビーコン発信機１３１は、ＭＥ室１が特定可能な情報を含むビーコン信号１３１ｓをＭＥ室１内に送信する。第１ビーコン発信機１３１は、たとえば１分毎などの一定時間毎、ビーコン信号１３１ｓを送信する。
【００３０】
第１ビーコン発信機１３２は、病室２に設置されている。第１ビーコン発信機１３２は、病室２が特定可能な情報を含むビーコン信号１３２ｓを病室２内に送信する。第１ビーコン発信機１３２は、たとえば１分毎などの一定時間毎、ビーコン信号１３２ｓを送信する。
【００３１】
第２ビーコン発信機１４１は、複数の区域のうちの少なくとも１つの区域に出入りする複数人の各々に１つずつ携帯される。第２ビーコン発信機１４１は、携帯人Ｂが特定可能な情報を含むビーコン信号１４１ｓを携帯人Ｂの周囲の一定範囲内に送信する。第２ビーコン発信機１４１は、たとえば１分毎などの一定時間毎、ビーコン信号１４１ｓを送信する。
【００３２】
本実施形態においては、第２ビーコン発信機の通信モードとして、Bluetooth  Low  Energy(登録商標)を使用しているが、第２ビーコン発信機の通信モードは、Bluetooth  Low  Energy  (登録商標)に限られず、他の一般的な通信モードでもよい。
【００３３】
無線ＬＡＮ端末１５０は、医療機器１０に設けられている。本実施形態においては、複数の区域内に、医療機器１０が複数位置している。複数の医療機器１０の各々に、無線ＬＡＮ端末１５０が設けられている。
【００３４】
医療機器１０および携帯人Ｂの各々がＭＥ室１内に位置している場合は、無線ＬＡＮ端末１５０は、第１ビーコン発信機１３１から送信されたビーコン信号１３１ｓ、および、第２ビーコン発信機１４１から送信されたビーコン信号１４１ｓの各々を受信する。
【００３５】
無線ＬＡＮ端末１５０は、ビーコン信号１３１ｓを受信すると、医療機器１０の位置情報を無線ＬＡＮの第１アクセスポイント１１１を介して情報処理装置１２０に送信する。このとき、無線ＬＡＮ端末１５０は、医療機器１０の位置情報を含む信号１５１ｓを第１アクセスポイント１１１に送信する。
【００３６】
無線ＬＡＮ端末１５０は、第２ビーコン発信機１４１から送信されたビーコン信号１４１ｓを受信すると、携帯人Ｂが特定可能な情報を無線ＬＡＮの第１アクセスポイント１１１を介して情報処理装置１２０に送信する。このとき、無線ＬＡＮ端末１５０は、携帯人Ｂが特定可能な情報を含む信号１５１ｓを第１アクセスポイント１１１に送信する。
【００３７】
情報処理装置１２０は、医療機器１０の位置情報を含む信号１５１ｓを無線ＬＡＮ端末１５０から受信すると、医療機器１０の位置情報を記憶部１２１に記憶する。その結果、医療機器１０がＭＥ室１内にあることが、記憶部１２１に記憶される。
【００３８】
情報処理装置１２０は、携帯人Ｂが特定可能な情報を含む信号１５１ｓを無線ＬＡＮ端末１５０から受信すると、携帯人Ｂが特定可能な情報を記憶部１２１に記憶する。その結果、携帯人Ｂが医療機器１０の周囲にいたことが、記憶部１２１に記憶される。
【００３９】
医療機器１０および携帯人Ｂの各々が、矢印４で示すように、ＭＥ室１から病室２に移動した場合は、無線ＬＡＮ端末１５０は、第１ビーコン発信機１３２から送信されたビーコン信号１３２ｓ、および、第２ビーコン発信機１４１から送信されたビーコン信号１４１ｓの各々を受信する。
【００４０】
無線ＬＡＮ端末１５０は、ビーコン信号１３２ｓを受信すると、医療機器１０の位置情報を無線ＬＡＮの第２アクセスポイント１１２を介して情報処理装置１２０に送信する。このとき、無線ＬＡＮ端末１５０は、医療機器１０の位置情報を含む信号１５２ｓを第２アクセスポイント１１２に送信する。
【００４１】
無線ＬＡＮ端末１５０は、第２ビーコン発信機１４１から送信されたビーコン信号１４１ｓを受信すると、携帯人Ｂが特定可能な情報を無線ＬＡＮの第２アクセスポイント１１２を介して情報処理装置１２０に送信する。このとき、無線ＬＡＮ端末１５０は、携帯人Ｂが特定可能な情報を含む信号１５２ｓを第２アクセスポイント１１２に送信する。
【００４２】
情報処理装置１２０は、医療機器１０の位置情報を含む信号１５２ｓを無線ＬＡＮ端末１５０から受信すると、医療機器１０の位置情報を記憶部１２１に記憶する。その結果、医療機器１０がＭＥ室１から病室２に移動したことが、記憶部１２１に記憶される。
【００４３】
情報処理装置１２０は、携帯人Ｂが特定可能な情報を含む信号１５２ｓを無線ＬＡＮ端末１５０から受信すると、携帯人Ｂが特定可能な情報を記憶部１２１に記憶する。その結果、携帯人Ｂが医療機器１０の周囲にいたことが、記憶部１２１に記憶される。
【００４４】
図３は、本発明の実施形態１に係る機器管理システムにおける、医療機器が病室からＭＥ室に移動する際の各構成の動作を説明する図である。
【００４５】
図３に示すように、本発明の実施形態１に係る機器管理システム１００は、医療機器１０および携帯人Ｂの各々が、矢印６で示すように、病室２からＭＥ室１に移動した場合は、無線ＬＡＮ端末１５０は、第１ビーコン発信機１３１から送信されたビーコン信号１３１ｓ、および、第２ビーコン発信機１４１から送信されたビーコン信号１４１ｓの各々を受信する。
【００４６】
無線ＬＡＮ端末１５０は、ビーコン信号１３１ｓを受信すると、医療機器１０の位置情報を無線ＬＡＮの第１アクセスポイント１１１を介して情報処理装置１２０に送信する。このとき、無線ＬＡＮ端末１５０は、医療機器１０の位置情報を含む信号１５１ｓを第１アクセスポイント１１１に送信する。
【００４７】
無線ＬＡＮ端末１５０は、第２ビーコン発信機１４１から送信されたビーコン信号１４１ｓを受信すると、携帯人Ｂが特定可能な情報を無線ＬＡＮの第１アクセスポイント１１１を介して情報処理装置１２０に送信する。このとき、無線ＬＡＮ端末１５０は、携帯人Ｂが特定可能な情報を含む信号１５１ｓを第１アクセスポイント１１１に送信する。
【００４８】
情報処理装置１２０は、医療機器１０の位置情報を含む信号１５１ｓを無線ＬＡＮ端末１５０から受信すると、医療機器１０の位置情報を記憶部１２１に記憶する。その結果、医療機器１０が病室２からＭＥ室１に移動したことが、記憶部１２１に記憶される。
【００４９】
情報処理装置１２０は、携帯人Ｂが特定可能な情報を含む信号１５１ｓを無線ＬＡＮ端末１５０から受信すると、携帯人Ｂが特定可能な情報を記憶部１２１に記憶する。その結果、携帯人Ｂが医療機器１０の周囲にいたことが、記憶部１２１に記憶される。
【００５０】
上記のように、情報処理装置１２０は、記憶部１２１に、医療機器１０の所在に関する情報である医療機器１０の位置情報を時系列的に記憶して蓄積している。また、情報処理装置１２０は、記憶部１２１に、医療機器１０の使用者に関する情報である携帯人Ｂが特定可能な情報を時系列的に記憶して蓄積している。これにより、情報処理装置１２０は、時系列的に、医療機器１０の移動場所、および、当該場所において医療機器１０の周囲にいた人を紐づけることができる。
【００５１】
よって、本発明の実施形態１に係る機器管理システム１００においては、情報処理装置１２０の記憶部１２１に記憶されている医療機器１０の位置情報に基づいて、医療機器１０の所在を把握することができる。
【００５２】
仮に、第１ビーコン発信機１３１、第１ビーコン発信機１３２および無線ＬＡＮ端末１５０の少なくとも１つが機能しなくなって、医療機器１０の所在が不明になった場合、記憶部１２１に蓄積されている情報から、その機能しなくなった時の直前に医療機器１０の周囲にいた携帯人Ｂを特定することができるため、携帯人Ｂから聞き取りをすることにより、医療機器１０の行方を探索することが可能である。
【００５３】
本実施形態においては、無線ＬＡＮとして、一般的に整備されているＷｉ−Ｆｉ(登録商標)を使用しているため、機器管理システム１００を構成することが容易である。また、第１ビーコン発信機および第２ビーコン発信機の各々の通信モードとして、検知精度が高く消費電力量が少ないBluetooth  Low  Energy(登録商標)を使用しているため、医療機器１０の位置情報および携帯人Ｂを特定可能な情報を高精度に取得できるとともに、機器管理システム１００の省エネルギ化を図ることができる。
【００５４】
本発明の実施形態１に係る機器管理システム１００は、無線ＬＡＮの第１アクセスポイント１１１および第２アクセスポイント１１２を含んでいたが、無線ＬＡＮの第１アクセスポイント１１１および第２アクセスポイント１１２の各々は、上記複数の区域に既設の装置であってもよい。すなわち、機器管理システム１００は、第１アクセスポイント１１１および第２アクセスポイント１１２を含んでおらず、無線ＬＡＮのアクセスポイントが各々設置されている複数の区域に移動可能な少なくとも１つの機器の所在およびこの機器の使用者に関する情報を記録する機器管理システムであってもよい。
【００５５】
この場合、機器管理システム１００は、情報処理装置１２０と、第１ビーコン発信機１３１，１３２と、第２ビーコン発信機１４１と、無線ＬＡＮ端末１５０とを備える。情報処理装置１２０は、無線ＬＡＮの第１アクセスポイント１１１および第２アクセスポイント１１２に接続されている。第１ビーコン発信機１３１，１３２は、複数の区域の各々に設置され、設置区域が特定可能な情報を含むビーコン信号１３１ｓ，１３２ｓを上記設置区域内に送信する。第２ビーコン発信機１４１は、上記複数の区域のうちの少なくとも１つの区域に出入りする複数人の各々に１つずつ携帯され、携帯人が特定可能な情報を含むビーコン信号１４１ｓを上記携帯人の周囲の一定範囲内に送信する。無線ＬＡＮ端末１５０は、医療機器１０に設けられ、第１ビーコン発信機１３１，１３２から送信されたビーコン信号１３１ｓ，１３２ｓを受信すると医療機器１０の位置情報を無線ＬＡＮの第１アクセスポイント１１１および第２アクセスポイント１１２を介して情報処理装置１２０に送信し、第２ビーコン発信機１４１から送信されたビーコン信号１４１ｓを受信すると上記携帯人が特定可能な情報を無線ＬＡＮの第１アクセスポイント１１１および第２アクセスポイント１１２を介して情報処理装置１２０に送信する。情報処理装置１２０は、無線ＬＡＮ端末１５０から送信された、医療機器１０の位置情報および上記携帯人が特定可能な情報を記憶する記憶部１２１を有する。また、上記複数の区域内に、医療機器１０が複数位置している。複数の医療機器１０の各々に、無線ＬＡＮ端末１５０が設けられている。
【００５６】
(実施形態２)
以下、本発明の実施形態２に係る機器管理システムについて図を参照して説明する。なお、本発明の実施形態２に係る機器管理システムは、第１ビーコン発信機および無線ＬＡＮ端末の各々の設置場所が主に、本発明の実施形態１に係る機器管理システム１００と異なるため、本発明の実施形態１に係る機器管理システム１００と同様である構成については説明を繰り返さない。
【００５７】
図４は、本発明の実施形態２に係る機器管理システムにおける、医療機器がＭＥ室から病室に移動する際の各構成の動作を説明する図である。以下の実施形態においては、複数の区域として、ＭＥ室１および病室２についてのみ説明するが、病室３または廊下などの他の区域においても同様の構成である。
【００５８】
図４に示すように、本発明の実施形態２に係る機器管理システム２００は、無線ＬＡＮのアクセスポイントと、情報処理装置１２０と、第１ビーコン発信機と、第２ビーコン発信機１４１と、無線ＬＡＮ端末２５１，２５２とを備える。
【００５９】
第１ビーコン発信機２３１は、医療機器１０に設けられている。本実施形態においては、複数の区域内に、医療機器１０が複数位置している。複数の医療機器１０の各々に、第１ビーコン発信機２３１が設けられている。
【００６０】
第１ビーコン発信機２３１は、医療機器１０が特定可能な情報を含むビーコン信号２３１ｓを医療機器１０の周囲の一定範囲内に送信する。第１ビーコン発信機２３１は、たとえば１分毎などの一定時間毎、ビーコン信号２３１ｓを送信する。
【００６１】
無線ＬＡＮ端末は、複数の区域の各々に設けられている。無線ＬＡＮ端末２５１は、ＭＥ室１に設置されている。無線ＬＡＮ端末２５２は、病室２に設置されている。
【００６２】
医療機器１０および携帯人Ｂの各々がＭＥ室１内に位置している場合は、無線ＬＡＮ端末２５１は、第１ビーコン発信機２３１から送信されたビーコン信号２３１ｓ、および、第２ビーコン発信機１４１から送信されたビーコン信号１４１ｓの各々を受信する。
【００６３】
無線ＬＡＮ端末２５１は、ビーコン信号２３１ｓを受信すると、医療機器１０が特定可能な情報を無線ＬＡＮの第１アクセスポイント１１１を介して情報処理装置１２０に送信する。このとき、無線ＬＡＮ端末２５１は、医療機器１０が特定可能な情報を含む信号２５１ｓを第１アクセスポイント１１１に送信する。
【００６４】
無線ＬＡＮ端末２５１は、ビーコン信号１４１ｓを受信すると、携帯人Ｂが特定可能な情報を無線ＬＡＮの第１アクセスポイント１１１を介して情報処理装置１２０に送信する。このとき、無線ＬＡＮ端末２５１は、携帯人Ｂが特定可能な情報を含む信号２５１ｓを第１アクセスポイント１１１に送信する。
【００６５】
情報処理装置１２０は、医療機器１０が特定可能な情報を含む信号２５１ｓを無線ＬＡＮ端末２５１から受信すると、医療機器１０が特定可能な情報を記憶部１２１に記憶する。その結果、医療機器１０がＭＥ室１内にあることが、記憶部１２１に記憶される。
【００６６】
情報処理装置１２０は、携帯人Ｂが特定可能な情報を含む信号２５１ｓを無線ＬＡＮ端末２５１から受信すると、携帯人Ｂが特定可能な情報を記憶部１２１に記憶する。その結果、携帯人Ｂが医療機器１０の周囲にいたことが、記憶部１２１に記憶される。
【００６７】
医療機器１０および携帯人Ｂの各々が、矢印４で示すように、ＭＥ室１から病室２に移動した場合は、無線ＬＡＮ端末２５２は、第１ビーコン発信機２３１から送信されたビーコン信号２３１ｓ、および、第２ビーコン発信機１４１から送信されたビーコン信号１４１ｓの各々を受信する。
【００６８】
無線ＬＡＮ端末２５２は、ビーコン信号２３１ｓを受信すると、医療機器１０が特定可能な情報を無線ＬＡＮの第２アクセスポイント１１２を介して情報処理装置１２０に送信する。このとき、無線ＬＡＮ端末２５２は、医療機器１０が特定可能な情報を含む信号２５２ｓを第２アクセスポイント１１２に送信する。
【００６９】
無線ＬＡＮ端末２５２は、ビーコン信号１４１ｓを受信すると、携帯人Ｂが特定可能な情報を無線ＬＡＮの第２アクセスポイント１１２を介して情報処理装置１２０に送信する。このとき、無線ＬＡＮ端末２５２は、携帯人Ｂが特定可能な情報を含む信号２５２ｓを第２アクセスポイント１１２に送信する。
【００７０】
情報処理装置１２０は、医療機器１０が特定可能な情報を含む信号２５２ｓを無線ＬＡＮ端末２５２から受信すると、医療機器１０が特定可能な情報を記憶部１２１に記憶する。その結果、医療機器１０がＭＥ室１から病室２に移動したことが、記憶部１２１に記憶される。
【００７１】
情報処理装置１２０は、携帯人Ｂが特定可能な情報を含む信号２５２ｓを無線ＬＡＮ端末２５２から受信すると、携帯人Ｂが特定可能な情報を記憶部１２１に記憶する。その結果、携帯人Ｂが医療機器１０の周囲にいたことが、記憶部１２１に記憶される。
【００７２】
図５は、本発明の実施形態２に係る機器管理システムにおける、医療機器が病室からＭＥ室に移動する際の各構成の動作を説明する図である。
【００７３】
図５に示すように、本発明の実施形態２に係る機器管理システム２００は、医療機器１０および携帯人Ｂの各々が、矢印６で示すように、病室２からＭＥ室１に移動した場合は、無線ＬＡＮ端末２５１は、第１ビーコン発信機２３１から送信されたビーコン信号２３１ｓ、および、第２ビーコン発信機１４１から送信されたビーコン信号１４１ｓの各々を受信する。
【００７４】
無線ＬＡＮ端末２５１は、ビーコン信号２３１ｓを受信すると、医療機器１０が特定可能な情報を無線ＬＡＮの第１アクセスポイント１１１を介して情報処理装置１２０に送信する。このとき、無線ＬＡＮ端末２５１は、医療機器１０が特定可能な情報を含む信号２５１ｓを第１アクセスポイント１１１に送信する。
【００７５】
無線ＬＡＮ端末２５１は、第２ビーコン発信機１４１から送信されたビーコン信号１４１ｓを受信すると、携帯人Ｂが特定可能な情報を無線ＬＡＮの第１アクセスポイント１１１を介して情報処理装置１２０に送信する。このとき、無線ＬＡＮ端末２５１は、携帯人Ｂが特定可能な情報を含む信号２５１ｓを第１アクセスポイント１１１に送信する。
【００７６】
情報処理装置１２０は、医療機器１０が特定可能な情報を含む信号２５１ｓを無線ＬＡＮ端末２５１から受信すると、医療機器１０が特定可能な情報を記憶部１２１に記憶する。その結果、医療機器１０が病室２からＭＥ室１に移動したことが、記憶部１２１に記憶される。
【００７７】
情報処理装置１２０は、携帯人Ｂが特定可能な情報を含む信号２５１ｓを無線ＬＡＮ端末２５１から受信すると、携帯人Ｂが特定可能な情報を記憶部１２１に記憶する。その結果、携帯人Ｂが医療機器１０の周囲にいたことが、記憶部１２１に記憶される。
【００７８】
上記のように、情報処理装置１２０は、記憶部１２１に、医療機器１０の所在に関する情報である医療機器１０が特定可能な情報を時系列的に記憶して蓄積している。また、情報処理装置１２０は、記憶部１２１に、医療機器１０の使用者に関する情報である携帯人Ｂが特定可能な情報を時系列的に記憶して蓄積している。これにより、情報処理装置１２０は、時系列的に、医療機器１０の移動場所、および、当該場所において医療機器１０の周囲にいた人を紐づけることができる。
【００７９】
よって、本発明の実施形態２に係る機器管理システム２００においては、情報処理装置１２０の記憶部１２１に記憶されている医療機器１０が特定可能な情報に基づいて、医療機器１０の所在を把握することができる。
【００８０】
仮に、第１ビーコン発信機２３１、無線ＬＡＮ端末２５１および無線ＬＡＮ端末２５２の少なくとも１つが機能しなくなって、医療機器１０の所在が不明になった場合、記憶部１２１に蓄積されている情報から、その機能しなくなった時の直前に医療機器１０の周囲にいた携帯人Ｂを特定することができるため、携帯人Ｂから聞き取りをすることにより、医療機器１０の行方を探索することが可能である。
【００８１】
本発明の実施形態２に係る機器管理システム２００は、無線ＬＡＮの第１アクセスポイント１１１および第２アクセスポイント１１２を含んでいたが、無線ＬＡＮの第１アクセスポイント１１１および第２アクセスポイント１１２の各々は、上記複数の区域に既設の装置であってもよい。すなわち、機器管理システム２００は、第１アクセスポイント１１１および第２アクセスポイント１１２を含んでおらず、無線ＬＡＮのアクセスポイントが各々設置されている複数の区域に移動可能な少なくとも１つの機器の所在およびこの機器の使用者に関する情報を記録する機器管理システムであってもよい。
【００８２】
この場合、機器管理システム２００は、情報処理装置１２０と、第１ビーコン発信機２３１と、第２ビーコン発信機１４１と、無線ＬＡＮ端末２５１，２５２とを備える。情報処理装置１２０は、無線ＬＡＮの第１アクセスポイント１１１および第２アクセスポイント１１２の各々に接続されている。第１ビーコン発信機２３１は、医療機器１０に設けられ、医療機器１０が特定可能な情報を含むビーコン信号２３１ｓを医療機器１０の周囲の一定範囲内に送信する。第２ビーコン発信機１４１は、複数の区域のうちの少なくとも１つの区域に出入りする複数人の各々に１つずつ携帯され、携帯人が特定可能な情報を含むビーコン信号１４１ｓを上記携帯人の周囲の一定範囲内に送信する。無線ＬＡＮ端末２５１，２５２は、上記複数の区域の各々に設けられ、第１ビーコン発信機２３１から送信されたビーコン信号２３１ｓを受信すると医療機器１０が特定可能な情報を無線ＬＡＮの第１アクセスポイント１１１および第２アクセスポイント１１２を介して情報処理装置１２０に送信し、第２ビーコン発信機１４１から送信されたビーコン信号１４１ｓを受信すると上記携帯人が特定可能な情報を無線ＬＡＮの第１アクセスポイント１１１および第２アクセスポイント１１２を介して情報処理装置１２０に送信する。情報処理装置１２０は、無線ＬＡＮ端末２５１，２５２から送信された、医療機器１０が特定可能な情報および上記携帯人が特定可能な情報を記憶する記憶部を１２１有する。また、上記複数の区域内に、医療機器１０が複数位置している。複数の医療機器１０の各々に、第１ビーコン発信機２３１が設置されている。
【００８３】
(実施形態３)
以下、本発明の実施形態３に係る機器管理システムについて図を参照して説明する。なお、本発明の実施形態３に係る機器管理システムは、ブルートゥース(登録商標)によるメッシュ型ネットワークを含む点が主に、本発明の実施形態１に係る機器管理システム１００と異なるため、本発明の実施形態１に係る機器管理システム１００と同様である構成については説明を繰り返さない。
【００８４】
図６は、本発明の実施形態３に係る機器管理システムにおける、医療機器がＭＥ室から病室に移動する際の各構成の動作を説明する図である。図６に示すように、本発明の実施形態３に係る機器管理システム３００は、第１ブルートゥース(登録商標)端末装置３１１，３１２，３１３と、情報処理装置１２０と、第１ビーコン発信機１３１，１３２と、第２ビーコン発信機１４１と、第２ブルートゥース(登録商標)端末装置３５０とを備える。
【００８５】
第１ブルートゥース(登録商標)端末装置３１１は、ＭＥ室１内に配置されている。第１ブルートゥース(登録商標)端末装置３１２は、病室２に配置されている。第１ブルートゥース(登録商標)端末装置３１３は、ＭＥ室１と病室２との境界に配置されている。第１ブルートゥース(登録商標)端末装置３１１、第１ブルートゥース(登録商標)端末装置３１２および第１ブルートゥース(登録商標)端末装置３１３は、互いにメッシュ型ネットワークを構成している。情報処理装置１２０は、上記メッシュ型ネットワークに接続されている。
【００８６】
第２ブルートゥース(登録商標)端末装置３５０は、医療機器１０に設けられている。本実施形態においては、複数の区域内に、医療機器１０が複数位置している。複数の医療機器１０の各々に、第２ブルートゥース(登録商標)端末装置３５０が設けられている。
【００８７】
第２ブルートゥース(登録商標)端末装置３５０は、第１ビーコン発信機１３１から送信されたビーコン信号１３１ｓ、および、第２ビーコン発信機１４１から送信されたビーコン信号１４１ｓの各々を受信する。
【００８８】
第２ブルートゥース(登録商標)端末装置３５０は、ビーコン信号１３１ｓを受信すると、医療機器１０の位置情報を上記メッシュ型ネットワークを介して情報処理装置１２０に送信する。このとき、第２ブルートゥース(登録商標)端末装置３５０は、医療機器１０の位置情報を含む信号３５１ｓを、上記メッシュ型ネットワークを構成する第１ブルートゥース(登録商標)端末装置３１１に送信する。
【００８９】
第２ブルートゥース(登録商標)端末装置３５０は、第２ビーコン発信機１４１から送信されたビーコン信号１４１ｓを受信すると、携帯人Ｂが特定可能な情報を上記メッシュ型ネットワークを介して情報処理装置１２０に送信する。このとき、第２ブルートゥース(登録商標)端末装置３５０は、携帯人Ｂが特定可能な情報を含む信号３５１ｓを第１ブルートゥース(登録商標)端末装置３１１に送信する。
【００９０】
情報処理装置１２０は、医療機器１０の位置情報を含む信号３５１ｓを第２ブルートゥース(登録商標)端末装置３５０から受信すると、医療機器１０の位置情報を記憶部１２１に記憶する。その結果、医療機器１０がＭＥ室１内にあることが、記憶部１２１に記憶される。
【００９１】
情報処理装置１２０は、携帯人Ｂが特定可能な情報を含む信号３５１ｓを第２ブルートゥース(登録商標)端末装置３５０から受信すると、携帯人Ｂが特定可能な情報を記憶部１２１に記憶する。その結果、携帯人Ｂが医療機器１０の周囲にいたことが、記憶部１２１に記憶される。
【００９２】
医療機器１０および携帯人Ｂの各々が、矢印４で示すように、ＭＥ室１から病室２に移動した場合は、第２ブルートゥース(登録商標)端末装置３５０は、第１ビーコン発信機１３２から送信されたビーコン信号１３２ｓ、および、第２ビーコン発信機１４１から送信されたビーコン信号１４１ｓの各々を受信する。
【００９３】
第２ブルートゥース(登録商標)端末装置３５０は、ビーコン信号１３２ｓを受信すると、医療機器１０の位置情報を上記メッシュ型ネットワークを介して情報処理装置１２０に送信する。このとき、第２ブルートゥース(登録商標)端末装置３５０は、医療機器１０の位置情報を含む信号３５２ｓを第１ブルートゥース(登録商標)端末装置３１２に送信する。
【００９４】
第２ブルートゥース(登録商標)端末装置３５０は、第２ビーコン発信機１４１から送信されたビーコン信号１４１ｓを受信すると、携帯人Ｂが特定可能な情報を上記メッシュ型ネットワークを介して情報処理装置１２０に送信する。このとき、第２ブルートゥース(登録商標)端末装置３５０は、携帯人Ｂが特定可能な情報を含む信号３５２ｓを第１ブルートゥース(登録商標)端末装置３１２に送信する。
【００９５】
情報処理装置１２０は、医療機器１０の位置情報を含む信号３５２ｓを上記メッシュ型ネットワークを介して第２ブルートゥース(登録商標)端末装置３５０から受信すると、医療機器１０の位置情報を記憶部１２１に記憶する。その結果、医療機器１０がＭＥ室１から病室２に移動したことが、記憶部１２１に記憶される。
【００９６】
情報処理装置１２０は、携帯人Ｂが特定可能な情報を含む信号３５２ｓを上記メッシュ型ネットワークを介して第２ブルートゥース(登録商標)端末装置３５０から受信すると、携帯人Ｂが特定可能な情報を記憶部１２１に記憶する。その結果、携帯人Ｂが医療機器１０の周囲にいたことが、記憶部１２１に記憶される。
【００９７】
図７は、本発明の実施形態３に係る機器管理システムにおける、医療機器が病室からＭＥ室に移動する際の各構成の動作を説明する図である。
【００９８】
図７に示すように、本発明の実施形態３に係る機器管理システム３００は、医療機器１０および携帯人Ｂの各々が、矢印６で示すように、病室２からＭＥ室１に移動した場合は、第２ブルートゥース(登録商標)端末装置３５０は、第１ビーコン発信機１３１から送信されたビーコン信号１３１ｓ、および、第２ビーコン発信機１４１から送信されたビーコン信号１４１ｓの各々を受信する。
【００９９】
第２ブルートゥース(登録商標)端末装置３５０は、ビーコン信号１３１ｓを受信すると、医療機器１０の位置情報を上記メッシュ型ネットワークを介して情報処理装置１２０に送信する。このとき、第２ブルートゥース(登録商標)端末装置３５０は、医療機器１０の位置情報を含む信号３５１ｓを第１ブルートゥース(登録商標)端末装置３１１に送信する。
【０１００】
第２ブルートゥース(登録商標)端末装置３５０は、第２ビーコン発信機１４１から送信されたビーコン信号１４１ｓを受信すると、携帯人Ｂが特定可能な情報を上記メッシュ型ネットワークを介して情報処理装置１２０に送信する。このとき、第２ブルートゥース(登録商標)端末装置３５０は、携帯人Ｂが特定可能な情報を含む信号３５１ｓを第１ブルートゥース(登録商標)端末装置３１１に送信する。
【０１０１】
情報処理装置１２０は、医療機器１０の位置情報を含む信号３５１ｓを第２ブルートゥース(登録商標)端末装置３５０から受信すると、医療機器１０の位置情報を記憶部１２１に記憶する。その結果、医療機器１０が病室２からＭＥ室１に移動したことが、記憶部１２１に記憶される。
【０１０２】
情報処理装置１２０は、携帯人Ｂが特定可能な情報を含む信号３５１ｓを第２ブルートゥース(登録商標)端末装置３５０から受信すると、携帯人Ｂが特定可能な情報を記憶部１２１に記憶する。その結果、携帯人Ｂが医療機器１０の周囲にいたことが、記憶部１２１に記憶される。
【０１０３】
上記のように、情報処理装置１２０は、記憶部１２１に、医療機器１０の所在に関する情報である医療機器１０の位置情報を時系列的に記憶して蓄積している。また、情報処理装置１２０は、記憶部１２１に、医療機器１０の使用者に関する情報である携帯人Ｂが特定可能な情報を時系列的に記憶して蓄積している。これにより、情報処理装置１２０は、時系列的に、医療機器１０の移動場所、および、当該場所において医療機器１０の周囲にいた人を紐づけることができる。
【０１０４】
よって、本発明の実施形態３に係る機器管理システム３００においては、情報処理装置１２０の記憶部１２１に記憶されている医療機器１０の位置情報に基づいて、医療機器１０の所在を把握することができる。
【０１０５】
仮に、第１ビーコン発信機１３１、第１ビーコン発信機１３２および第２ブルートゥース(登録商標)端末装置３５０の少なくとも１つが機能しなくなって、医療機器１０の所在が不明になった場合、記憶部１２１に蓄積されている情報から、その機能しなくなった時の直前に医療機器１０の周囲にいた携帯人Ｂを特定することができるため、携帯人Ｂから聞き取りをすることにより、医療機器１０の行方を探索することが可能である。
【０１０６】
(実施形態４)
以下、本発明の実施形態４に係る機器管理システムについて図を参照して説明する。なお、本発明の実施形態４に係る機器管理システムは、ブルートゥース(登録商標)によるメッシュ型ネットワークを含む点が主に、本発明の実施形態２に係る機器管理システム２００と異なるため、本発明の実施形態２に係る機器管理システム２００と同様である構成については説明を繰り返さない。
【０１０７】
図８は、本発明の実施形態４に係る機器管理システムにおける、医療機器がＭＥ室から病室に移動する際の各構成の動作を説明する図である。図８に示すように、本発明の実施形態４に係る機器管理システム４００は、第１ブルートゥース(登録商標)端末装置３１１，３１２，３１３と、情報処理装置１２０と、第１ビーコン発信機２３１と、第２ビーコン発信機１４１と、第２ブルートゥース(登録商標)端末装置４５１，４５２とを備える。
【０１０８】
第１ブルートゥース(登録商標)端末装置３１１は、ＭＥ室１内に配置されている。第１ブルートゥース(登録商標)端末装置３１２は、病室２に配置されている。第１ブルートゥース(登録商標)端末装置３１３は、ＭＥ室１と病室２との境界に配置されている。第１ブルートゥース(登録商標)端末装置３１１、第１ブルートゥース(登録商標)端末装置３１２および第１ブルートゥース(登録商標)端末装置３１３は、互いにメッシュ型ネットワークを構成している。情報処理装置１２０は、上記メッシュ型ネットワークに接続されている。
【０１０９】
第２ブルートゥース(登録商標)端末装置は、複数の区域の各々に設けられている。第２ブルートゥース(登録商標)端末装置４５１は、ＭＥ室１に設置されている。第２ブルートゥース(登録商標)端末装置４５２は、病室２に設置されている。
【０１１０】
医療機器１０および携帯人Ｂの各々がＭＥ室１内に位置している場合は、第２ブルートゥース(登録商標)端末装置４５１は、第１ビーコン発信機２３１から送信されたビーコン信号２３１ｓ、および、第２ビーコン発信機１４１から送信されたビーコン信号１４１ｓの各々を受信する。
【０１１１】
第２ブルートゥース(登録商標)端末装置４５１は、ビーコン信号２３１ｓを受信すると、医療機器１０が特定可能な情報を上記メッシュ型ネットワークを介して情報処理装置１２０に送信する。このとき、第２ブルートゥース(登録商標)端末装置４５１は、医療機器１０が特定可能な情報を含む信号４５１ｓを第１ブルートゥース(登録商標)端末装置３１１に送信する。
【０１１２】
第２ブルートゥース(登録商標)端末装置４５１は、ビーコン信号１４１ｓを受信すると、携帯人Ｂが特定可能な情報を上記メッシュ型ネットワークを介して情報処理装置１２０に送信する。このとき、第２ブルートゥース(登録商標)端末装置４５１は、携帯人Ｂが特定可能な情報を含む信号４５１ｓを第１ブルートゥース(登録商標)端末装置３１１に送信する。
【０１１３】
情報処理装置１２０は、医療機器１０が特定可能な情報を含む信号４５１ｓを第２ブルートゥース(登録商標)端末装置４５１から受信すると、医療機器１０が特定可能な情報を記憶部１２１に記憶する。その結果、医療機器１０がＭＥ室１内にあることが、記憶部１２１に記憶される。
【０１１４】
情報処理装置１２０は、携帯人Ｂが特定可能な情報を含む信号４５１ｓを第２ブルートゥース(登録商標)端末装置４５１から受信すると、携帯人Ｂが特定可能な情報を記憶部１２１に記憶する。その結果、携帯人Ｂが医療機器１０の周囲にいたことが、記憶部１２１に記憶される。
【０１１５】
医療機器１０および携帯人Ｂの各々が、矢印４で示すように、ＭＥ室１から病室２に移動した場合は、第２ブルートゥース(登録商標)端末装置４５２は、第１ビーコン発信機２３１から送信されたビーコン信号２３１ｓ、および、第２ビーコン発信機１４１から送信されたビーコン信号１４１ｓの各々を受信する。
【０１１６】
第２ブルートゥース(登録商標)端末装置４５２は、ビーコン信号２３１ｓを受信すると、医療機器１０が特定可能な情報を上記メッシュ型ネットワークを介して情報処理装置１２０に送信する。このとき、第２ブルートゥース(登録商標)端末装置４５２は、医療機器１０が特定可能な情報を含む信号４５２ｓを第１ブルートゥース(登録商標)端末装置３１２に送信する。
【０１１７】
第２ブルートゥース(登録商標)端末装置４５２は、ビーコン信号１４１ｓを受信すると、携帯人Ｂが特定可能な情報を上記メッシュ型ネットワークを介して情報処理装置１２０に送信する。このとき、第２ブルートゥース(登録商標)端末装置４５２は、携帯人Ｂが特定可能な情報を含む信号４５２ｓを第１ブルートゥース(登録商標)端末装置３１２に送信する。
【０１１８】
情報処理装置１２０は、医療機器１０が特定可能な情報を含む信号４５２ｓを第２ブルートゥース(登録商標)端末装置４５２から受信すると、医療機器１０が特定可能な情報を記憶部１２１に記憶する。その結果、医療機器１０がＭＥ室１から病室２に移動したことが、記憶部１２１に記憶される。
【０１１９】
情報処理装置１２０は、携帯人Ｂが特定可能な情報を含む信号４５２ｓを第２ブルートゥース(登録商標)端末装置４５２から受信すると、携帯人Ｂが特定可能な情報を記憶部１２１に記憶する。その結果、携帯人Ｂが医療機器１０の周囲にいたことが、記憶部１２１に記憶される。
【０１２０】
図９は、本発明の実施形態４に係る機器管理システムにおける、医療機器が病室からＭＥ室に移動する際の各構成の動作を説明する図である。
【０１２１】
図９に示すように、本発明の実施形態４に係る機器管理システム４００は、医療機器１０および携帯人Ｂの各々が、矢印６で示すように、病室２からＭＥ室１に移動した場合は、第２ブルートゥース(登録商標)端末装置４５１は、第１ビーコン発信機２３１から送信されたビーコン信号２３１ｓ、および、第２ビーコン発信機１４１から送信されたビーコン信号１４１ｓの各々を受信する。
【０１２２】
第２ブルートゥース(登録商標)端末装置４５１は、ビーコン信号２３１ｓを受信すると、医療機器１０が特定可能な情報を上記メッシュ型ネットワークを介して情報処理装置１２０に送信する。このとき、第２ブルートゥース(登録商標)端末装置４５１は、医療機器１０が特定可能な情報を含む信号４５１ｓを第１ブルートゥース(登録商標)端末装置３１１に送信する。
【０１２３】
第２ブルートゥース(登録商標)端末装置４５１は、第２ビーコン発信機１４１から送信されたビーコン信号１４１ｓを受信すると、携帯人Ｂが特定可能な情報を上記メッシュ型ネットワークを介して情報処理装置１２０に送信する。このとき、第２ブルートゥース(登録商標)端末装置４５１は、携帯人Ｂが特定可能な情報を含む信号４５１ｓを第１ブルートゥース(登録商標)端末装置３１１に送信する。
【０１２４】
情報処理装置１２０は、医療機器１０が特定可能な情報を含む信号４５１ｓを第２ブルートゥース(登録商標)端末装置４５１から受信すると、医療機器１０が特定可能な情報を記憶部１２１に記憶する。その結果、医療機器１０が病室２からＭＥ室１に移動したことが、記憶部１２１に記憶される。
【０１２５】
情報処理装置１２０は、携帯人Ｂが特定可能な情報を含む信号４５１ｓを第２ブルートゥース(登録商標)端末装置４５１から受信すると、携帯人Ｂが特定可能な情報を記憶部１２１に記憶する。その結果、携帯人Ｂが医療機器１０の周囲にいたことが、記憶部１２１に記憶される。
【０１２６】
上記のように、情報処理装置１２０は、記憶部１２１に、医療機器１０の所在に関する情報である医療機器１０が特定可能な情報を時系列的に記憶して蓄積している。また、情報処理装置１２０は、記憶部１２１に、医療機器１０の使用者に関する情報である携帯人Ｂが特定可能な情報を時系列的に記憶して蓄積している。これにより、情報処理装置１２０は、時系列的に、医療機器１０の移動場所、および、当該場所において医療機器１０の周囲にいた人を紐づけることができる。
【０１２７】
よって、本発明の実施形態４に係る機器管理システム４００においては、情報処理装置１２０の記憶部１２１に記憶されている医療機器１０が特定可能な情報に基づいて、医療機器１０の所在を把握することができる。
【０１２８】
仮に、第１ビーコン発信機２３１、第２ブルートゥース(登録商標)端末装置４５１および第２ブルートゥース(登録商標)端末装置４５２の少なくとも１つが機能しなくなって、医療機器１０の所在が不明になった場合、記憶部１２１に蓄積されている情報から、その機能しなくなった時の直前に医療機器１０の周囲にいた携帯人Ｂを特定することができるため、携帯人Ｂから聞き取りをすることにより、医療機器１０の行方を探索することが可能である。
【０１２９】
なお、今回開示した上記実施形態はすべての点で例示であって、限定的な解釈の根拠となるものではない。したがって、本発明の技術的範囲は、上記した実施形態のみによって解釈されるものではなく、請求の範囲の記載に基づいて画定される。また、請求の範囲と均等の意味および範囲内でのすべての変更が含まれる。
【符号の説明】
【０１３０】
１  ＭＥ室、２，３  病室、１０  医療機器、１００，２００，３００，４００  機器管理システム、１１１  第１アクセスポイント、１１２  第２アクセスポイント、１２０  情報処理装置、１２１  記憶部、１２２  表示部、１２３  入力部、１３１，１３２，２３１  第１ビーコン発信機、１３１ｓ，１３２ｓ，１４１ｓ，２３１ｓ  ビーコン信号、１４１  第２ビーコン発信機、１５０，２５１，２５２  無線ＬＡＮ端末、１５１ｓ，１５２ｓ，２５１ｓ，２５２ｓ，３５１ｓ，３５２ｓ，４５１ｓ，４５２ｓ  信号、３１１，３１２，３１３  第１ブルートゥース(登録商標)端末装置、３５０，４５１，４５２  第２ブルートゥース(登録商標)端末装置。
【図１】
2019211981.tif 000003
【図２】
2019211981.tif 000004
【図３】
2019211981.tif 000005
【図４】
2019211981.tif 000006
【図５】
2019211981.tif 000007
【図６】
2019211981.tif 000008
【図７】
2019211981.tif 000009
【図８】
2019211981.tif 000010
【図９】
2019211981.tif 000011
【国際調査報告】
2019211981.tif 000012
2019211981.tif 000013
2019211981.tif 000014
2019211981.tif 000015